(57)【要約】【課題】暗がりで、照明により周囲を明るくする事なく、常に、数種類の柄や絵を発光させると共に、電気料金を節約する。【解決手段】ゴムチップと蛍光骨材及び蓄光骨材を接着剤で一体成型されていることを特徴とする、発光ゴムチップマットを要旨とする。【選択図】図１
2009156012.tif 000002
【特許請求の範囲】
【請求項１】
ゴムチップと蛍光骨材及び蓄光骨材と接着剤で一体成型されたことを特徴とする、ゴムチップマット。
【請求項２】
反射材で被覆したゴムチップマットと請求項１に記載の内の蓄光骨材を接着剤で一体成型されたゴムチップマット。
【発明の詳細な説明】
【発明の詳細な説明】
【技術分野】
【０００１】  本発明は、発光ゴムチップマットに関する。
【背景技術】
【０００２】  従来、マットを発光させる為に、ゴムチップと蓄光骨材を接着剤で一体成型したゴムチップマットを蓄光作用を利用して、暗いところで発光させる方法であった。
【発明が解決しようとする課題】
【０００３】  しかしながら、上記の従来型の発光マットにおいて、屋外では、蓄光材に一定の日の光与えなければ発光せず。又、薄暗くなると、徐々に発光していく為に、夜間時には発光が終わってしまっていた。更に、屋内に於いては、蓄光発光させる為に、照明を一定時間点けなければならず、屋内を一時明るくするという矛盾があった。
【０００４】  さらに、ゴムチップと蓄光材とで出来たゴムチップマットを暗闇などで、視認確認の為の交通安全対策に用いられたが、上記の様に、夜間までに、発光が終わってしまい、役に立たなかった。
【問題を解決するための手段】
【０００５】  上記課題を解決する為に、本発明では、ゴムチップと蛍光骨材及び蓄光骨材を接着剤で、一体成型される事を特徴とする、発光ゴムチップマットを提供する。
【０００６】  さらに、ゴムチップを反射塗料等の反射材で被覆して、蓄光骨材と接着剤で一体成型されたゴムチップマットを提供する。
【発明の効果】
【０００７】  本発明の発光ゴムチップマットは、基本的に、ゴムチップ、蛍光骨材、蓄光骨材、接着剤で一体成型されていて、太陽光や照明の当たっている所では、蓄光骨材に蓄光されていき、暗くなるに従って、徐々に発光していくが、時間と共に発光を停止する。その状態で、ブラックライト（紫外線）を点灯すると蛍光骨材が発光すると共に、蓄光骨材に蓄光され、ブラックライトを消灯すると、蓄光骨材が発光する。
【０００８】  実際の使用例で説明すると、カラーゴムチップ等のゴムチップで描いた柄と蛍光骨材若しくは、蛍光骨材とゴムチップの混合で描いた柄と同様に、蓄光骨材で描いた柄を、接着剤で一体成型された発光ゴムチップマットに於いて、日中或いは、照明の点いた場所では、カラーゴムチップで描いた柄が視認され、暗いところでブラックライトを点灯すると蛍光骨材で描かれた柄のみが発光して視認される。又、ブラックライトを消灯すると蓄光骨材での柄のみが発光して視認される。
【０００９】  この事は、一枚の発光ゴムチップマットに、発光形態の異なる種類の物を組み合わせる事により、数種類の絵や柄等を演出出来て、宣伝効果を上げたり、デザイン等の新しい可能性を創造出来るのである。
【００１０】  又、ブラックライトを使用することで、点灯によって周囲を明るくする事なく、蛍光骨材を発光させる事が出来、その間、蓄光骨材に蓄光され、消灯する事で、蓄光骨材が発光するので、常に、暗い状態で発光の効果が演出できる。
【００１１】  又、ブラックライトを一定時間（三十分位）点灯し、蛍光骨材を発光している間に、蓄光骨材を蓄光しているので、消灯しても、蓄光骨材を発光させる事が出来る。（二時間位）よって、ブラックライトの点灯、消灯を繰り返す事で、電気の使用量を、大幅に削減出来省エネ効果に関しても絶大である。
【００１２】  次に、反射塗料等の反射材で被覆されたゴムチップと蓄光骨材を一体成型された発光ゴムチップマットで交通の安全標識や確認標識の使用に於いて、夜間では、車のヘッドライトに反射材で被覆されたゴムチップが反射してゴムチップマットが視認される。又、ヘッドライトの使用が少なくなる薄暮では、蓄光骨材が発光してゴムチップマットが視認される。この様に、電気の供給が出来ない山奥等の所でも、簡単に設置できる。
以上の様に、本発明は有効な効果を有し、産業上の利用価値は、極めて高いのである。
【発明の実施形態】
【００１３】  以下、本発明を図面に基づいて詳細に説明する。
図１は、本発明の実施形態に係る発光ゴムチップマットの実施例である。図２は、図１のＡ−Ａ線拡大断面図。図３は、図１の日中又は、照明点灯時の下で見えるマットの柄の図。図４は、図１のブラックライト点灯時に蛍光骨材だけが発光して見えるマットの柄の図。図５は、ブラックライト消灯時に蓄光骨材だけが発光して見えるマットの柄の図。図６は、反射材で被覆されたゴムチップと蓄光骨材を一体成型された発光ゴムチップマット図。図７は、図６のＢ−Ｂ線拡大断面図。
【００１４】  この発光ゴムチップマットは、図１に示す様に、ゴムチップマット１、カラーゴムチップで描かれた柄８、ゴムチップと蛍光骨材とで描かれた柄９、ゴムチップと蓄光骨材で描かれた柄１０、ブラックライト照明器具５、等の構成で使用される。。
【００１５】  図２に於いて、柄８は、一色若しくは数種類のカラーゴムチップ２で、描かれている。次に、柄９は、蛍光骨材３のみ，又は、ゴムチップとの混合で描かれている。又、柄１０は、蓄光骨材４のみ、若しくは、ゴムチップとの混合で描かれている。但し、柄を描く時には、ゴムチップと混合する以外にゴムチップの表面に埋め込んでも良い。次に、柄８、柄９、柄１０の周りを発光ゴムチップマット１の基本色となるゴムチップ６で、充填され接着剤とで一体成型される。
【００１６】  実際の使用に於いて、日中、若しくは、照明の点灯している屋内で見える図３の柄８、暗がりで、ブラックライトを点灯した時に見える図４の柄９、ブラックライトを消灯した時に見える図５の柄１０が表現される。
【００１７】  図６に於ける、発光ゴムチップマット７は、図７で、反射塗料等の反射材を被覆したゴムチップ６と蓄光骨材４とで構成されている。
【００１８】  使用例として、暗がりで、車のヘッドライトがあたると、反射塗料等の反射材で被覆されたゴムチップ７が反射してひかり。車の通過しないときは、ヘッドライトで蓄光された蓄光骨材４が発光する。
【００１９】  本発明の好適な使用例を説明すると、図１のカラーゴムチップ２で描かれた柄や絵８、蛍光骨材３とゴムチップで描かれた柄や絵９、そして、蓄光骨材とゴムチップで描かれた柄や絵１０で構成された、発光ゴムチップマットを遊歩道や玄関ホール等に、敷く事により、８の柄や絵が日中表現され夜間時には、紫外線照明器具５を点灯して紫外線が照射されて、９の柄や絵が発光する。次に、紫外線照明器具５を消灯すると１０の柄や絵が発光する。さらに、５の点灯、消灯を繰り返す事で暗がりで、９と１０の二種類の柄や絵が表現でき、電気料金の節約にもなる。又、設置する場所は、氷やガラスや水のような透明な物の中、若しくは下でも同じ様な効果が有り、設置場所は、多様である。
【図面の簡単な説明】
【００２０】
【図１】本発明の実施形態に係る、発光ゴムチップマットの使用例である。
【図２】図１のＡ−Ａ線拡大断面図
【図３】日中或いは、照明の点灯している明るい場所での発光ゴムチップマットの状態
【図４】暗い所でのブラックライト点灯時の発光ゴムチップマットの状態
【図５】暗い所でのブラックライト消灯時の発光ゴムチップマットの状態
【図６】反射材を被覆したゴムチップと蓄光骨材とから成る発光ゴムチップマット
【図７】図６のＢ−Ｂ線拡大断面図
【符号の説明】
【００２１】１，発光ゴムチップマット
２，カラーゴムチップ
３，蛍光骨材
４，蓄光骨材
５，紫外線照明器具
６，発光ゴムチップマット基本ゴムチップ
７，反射材被覆ゴムチップと蓄光骨材とから成る発光ゴムチップマット
８，カラーゴムチップで描かれた柄や絵
９，蛍光骨材で描かれた柄や絵
１０，蓄光骨材で描かれた柄や絵
【図１】
2009156012.tif 000003
【図２】
2009156012.tif 000004
【図３】
2009156012.tif 000005
【図４】
2009156012.tif 000006
【図５】
2009156012.tif 000007
【図６】
2009156012.tif 000008
【図７】
2009156012.tif 000009